(57)【要約】【課題】本発明は、寝返り時に顔や頭を支えてベッドや布団から体がはみ出ることを防ぎ、かつ寝返り時の首にかかる異常な負担を著しく軽減するとともに、日常あるいは緊急時に必要な寝具まわりの必需品を収納して快適で安心な就寝前後の時間を過ごせる補助寝具を提供することを目的とする。【解決手段】本発明の補助寝具は、右端部と左端部と後端部とを有するベースと、外側面と内側面を有し、前記ベースの前記右端部と左端部の少なくともいずれか一方に設けた側部バンクと、を備える。少なくとも１つの前記バンクに収納部、スピーカー、照明器具のいずれか１以上を有することが好ましい。【選択図】    図１
2008086413.tif 000002
【特許請求の範囲】
【請求項１】
右端部と左端部と後端部とを有し、就寝者の頭部の下方に設置されるベースと、
外側面と内側面を有し、前記ベースの前記右端部と左端部の少なくともいずれか一方に設けた側部バンクと、
を備えた補助寝具。
【請求項２】
右端部と左端部と後端部とを有し、就寝者の頭部の下方に設置されるベースと、
前記ベースの前記後端部に設けた頭部バンクと、
を備えた補助寝具。
【請求項３】
右端部と左端部と後端部とを有し、就寝者の頭部の下方に設置されるベースと、
外側面と内側面を有し、前記ベースの前記右端部と左端部の少なくともいずれか一方に設けた側部バンクと、
前記ベースの前記後端部に設けた頭部バンクと、
を備えた補助寝具。
【請求項４】
前記側部バンクが収納部、スピーカー、照明器具のいずれか１以上を有する請求項１又は３に記載の補助寝具。
【請求項５】
前記頭部バンクが収納部、スピーカー、照明器具のいずれか１以上を有する請求項２又は３に記載の補助寝具。
【請求項６】
前記側部バンクの前記内側面の少なくとも一部が上方に向かって前記外側面方向に傾斜している請求項１、３、４のいずれかに記載の補助寝具。
【請求項７】
前記ベースの上面に枕が一体成形された請求項１乃至６のいずれかに記載の補助寝具。
【請求項８】
前記収納部は、ポケット又は引出しである請求項４乃至７のいずれかに記載の補助寝具。
【請求項９】
前記頭部バンクに背もたれ部を形成した請求項１乃至８のいずれかに記載の補助寝具。
【請求項１０】
着脱自在な脚を、前記側部バンク及び／又は頭部バンクに形成した孔に嵌合させて前記ベースの上方に天井を構成するルーフを形成した請求項３乃至９のいずれかに記載の補助寝具。
【請求項１１】
前記天井に、薄型テレビを取りつけた請求項１０に記載の補助寝具。
【請求項１２】
前記脚は、伸縮可能である請求項１０または１１に記載の補助寝具。
【発明の詳細な説明】
【技術分野】
【０００１】
本発明は、枕と一体となった、あるいは枕を収容し得る寝具に関し、特に小物を収納し得る補助寝具に関するものである。
【背景技術】
【０００２】
就寝前に、寝具に入って本を読んだり、水分やアルコールを取りながらテレビを見たり音楽を聴いたりしてリラックスする人は多いが、例えば眼鏡を使用する人は就寝の際に眼鏡をテーブルの上などに置きに行くのは億劫である。かといって枕元に置いて寝てしまうと、破損する恐れがある。また、水分補給用のボトルやコップ等を布団の脇などに置いたまま寝てしまうと、寝返りをうつなどして中身をこぼしてしまう恐れがある。
【０００３】
また、テレビ、エアコン、ビデオ、照明器具等のリモコンや、携帯電話、携帯型音楽プレーヤーなどが普及し、寝具まわりの必需品が近年ますます増えている。これらの小物は就寝前のリラックス時によく使われるものであるが、布団の中に紛れるなどして、非常に探し難いものである。特に暗闇の中では、見つかりそうでなかなか探し出せないものである。そのため、布団をひっくり返してこれらの小物を探しまくり、せっかくのリラックス状態を台無しにしてしまうことも多い。
【０００４】
更に、地震などの災害時に備えて防災用懐中電灯を家庭に用意する人は多いが、いざという時にどこにしまったか分からないものである。特に就寝時に停電等で真っ暗の中、防災用品を探し出すのは非常に困難である。
【０００５】
あるいはまた、病人や身体の不自由な人にあっては、常備薬やペットボトルなども、寝ていても手の届くように寝具の近くに置いておきたいものである。
【０００６】
特許文献１に、ベッドで寝ている人が眼鏡やリモコン、体温計などを収納し、ベッドの手すりなどにかけて使うことのできる小物入れが開示されている。しかし、手すりのないベッドや、マット、畳上に直に敷かれた布団には使用できない。
【０００７】
一方、我々が毎日用いる枕は、寝返りをして頭部が横を向いた時、頭部を横から支えることが出来ない。ボーリングの球程度の重量がある人間の頭部を横向きに枕の端に置いて寝た場合、従来の枕具では首の筋肉へ非常に負担をかけることは避けられなかった。
【０００８】
【特許文献１】特開平１０−２９５４２５号公報
【発明の開示】
【発明が解決しようとする課題】
【０００９】
本発明は、日常の就寝時における寝具まわりの必需品を寝ながらにして届く位置に収納して快適な就寝前の時間を過ごすことができるとともに、緊急時に必要な防災用品をも探すことなく容易に取り出すことのできる枕一体型の、あるいは枕元の補助寝具を提供することを目的とする。
【００１０】
本発明の他の目的は、寝返り時に顔や頭を支えてベッドや布団から体がはみ出ることを防ぐとともに、頭部を横向きに枕の端に置いて寝た場合であっても首にかかる異常な負担を著しく軽減し、リラックスした寝心地を与えることができる補助寝具を提供することにある。
【課題を解決するための手段】
【００１１】
本発明の補助寝具は、右端部と左端部と後端部とを有し、就寝者の頭部の下方に設置されるベースと、外側面と内側面を有し、前記ベースの前記右端部と左端部の少なくともいずれか一方に設けた側部バンクと、を備える。
【００１２】
あるいは、本発明の補助寝具は、右端部と左端部と後端部とを有し、就寝者の頭部の下方に設置されるベースと、前記ベースの前記後端部に設けた頭部バンクと、を備えたものであってもよい。
【００１３】
あるいは、本発明の補助寝具は、右端部と左端部と後端部とを有し、就寝者の頭部の下方に設置されるベースと、外側面と内側面を有し、前記ベースの前記右端部と左端部の少なくともいずれか一方に設けた側部バンクと、前記ベースの前記後端部に設けた頭部バンクと、を備えていてもよい。
【００１４】
なお、本明細書において、就寝者が頭を補助寝具に置いて仰向けに寝たときの右手側を右側、左手側を左側、足側を前側、頭側を後ろ側とし、側部バンクから上記就寝者の方向を内方向、就寝者から側部バンクの方向を外方向と定義する。また、側部バンクは右側部バンクと左側部バンクの総称とし、側部バンクと頭部バンクとを総称して、単に「バンク」とよぶこととする。更に、本明細書において、ベースの端部の上面にバンクを立設する場合と、ベースの端部の側面にバンクを隣設する場合とがあるが、これらの「立設」及び「隣設」する場合をまとめて、ベースの端部にバンクを「設ける」という。
【００１５】
さらに、本発明の補助寝具は、側部バンク及び／又は頭部バンクが収納部、スピーカー、照明器具のいずれか１以上を有し得る。
【００１６】
本発明の補助寝具において、前記側部バンクの内側面の少なくとも一部が、上方に向かって外側面方向に傾斜していることが好ましい。
【００１７】
本発明の補助寝具は、前記側部バンクと前記頭部バンク及び前記ベースとが一体成形されてもよい。あるいは、前記ベースの上面に枕が一体成形されてもよい。
【００１８】
本発明の補助寝具は、ベースの上面に枕を載置または着脱し得てもよい。
【００１９】
本発明の補助寝具は、前記収納部は、ポケット又は引出しであり得る。
【００２０】
本発明の補助寝具は、前記頭部バンクに背もたれ部を形成してもよい。
【００２１】
本発明の補助寝具は、着脱自在な脚を、前記側部バンク及び／又は頭部バンクに形成した孔に嵌合させて前記ベースの上方に天井を構成するルーフを形成し得る。前記天井に、薄型テレビを取りつけてもよい。前記脚は、伸縮可能としてもよい。
【発明の効果】
【００２２】
本発明の補助寝具は、ベースの右端部と左端部の少なくともいずれか一方に設けた側部バンクを備える。このため、寝返りをした時側部バンクがストッパーとなって、ベッドやマット、布団から体がはみ出すのを防ぎ、風邪を予防することができる。ベースの両端部に側部バンクを設ければ、枕がずれるのを防止できるため、更に予防効果を高めることができる。
【００２３】
また、側部バンクにおいて、内側面が上方に向かって外側面方向に傾斜させることによって、寝返りをして頭部が横を向いた時頭部を横から支えることが出来、首の筋肉に異常な緊張を強いることなく、就寝者はリラックスして睡眠をとることができる。又、横に寝た場合、側部バンクにもたれ掛かることができるため、心理的にも大きな満足感が得られる。
【００２４】
また、上記補助寝具は、少なくとも１つの側部バンクに収納部、例えばポケットを有するため、テレビやエアコン、ビデオ、照明器具等のリモコンや、携帯電話、眼鏡等を収納することができる。枕の脇に収納機能を有する側部バンクを設けたので、従来デッド・スペースだった枕元を有効利用することができる。
【００２５】
日常において、手を伸ばせば届く定位置に形成されたポケットに上記小物を収納できるので、暗闇の中布団を反して探すことなくこれらの寝具周りの小物を容易に手にすることができ、就寝前後の時間をリラックスして快適に過ごすことができる。又、眼鏡を着用している人は、目覚めた時、取り出し易くて手が届き、眼鏡が破損しないポケットから眼鏡を容易に取り出すことができ、非常に便利で安心である。
【００２６】
さらに、例えば、地震などの災害時に備えて、枕元のポケットに防災用品を収納することができるため、夜中の緊急時でも防災用品を容易に見つけ出すことができる。
【００２７】
あるいは、病人や身体の不自由な人にあっては、常備薬も、ポケットから直ぐに取り出すことができ、ペットボトルをポケットに収納しておくこともできる。
【００２８】
さらに、側部バンクに収納部として引出しを形成してもよい。引出しに本や雑誌等を収納しておけば、就寝前の読書を楽しむことができ、熟睡に供することができる。
【００２９】
また、側部バンクにスピーカーを内蔵してもよい。スピーカーを側部バンクの内側面に埋設すれば、枕元で就寝者が聞くことができ、音が側部バンクによって遮られるので、周囲の人に迷惑をかけることもない。
【００３０】
さらに、側部バンクに照明器具を内蔵してもよい。側部バンクの内側面を上記のように傾斜面にし、その傾斜面に照明器具を埋設すれば、就寝時に本などを読む場合、本を下方から直接照らすことができる。
【００３１】
また、本発明の補助寝具は、ベースの後端部に頭部バンクを設けてもよい。頭部バンクは単独でベースの後端部に設けられてもよいが、側部バンクとともに設置されてもよい。頭部バンクを設けてポケットや引出しを形成すれば、より補助寝具の収納能力を高めることができる。又、スピーカーを内蔵させて、耳元で音楽を聴いてリラックスして就寝することができる。更に、頭部バンクに照明器具を埋設することにより、胸の上に手で立てた本の中身を直接照らすことができる。
【００３２】
また、頭部バンク４０の中央部に、傾斜のなだらかな背もたれ部を形成すれば、くつろいだ姿勢で入眠に至る時間を過ごすことが可能となる。あるいは、頭部バンクをドーム型にして頭部の周囲を囲って保護すれば、補助寝具内への音や光などの侵入を防いで不安要素を取り除くことができ、更に、天上部に薄型テレビを組み込めば、テレビやビデオを楽しむこともできる。
【００３３】
本発明の補助寝具は、ベースと側部バンク、頭部バンクなどを部材として形成し、凹凸、面ファスナー、ホック、テープ、ボタンとボタンホール、紐とハトメ等で着脱自在に組み立てるようにして、押入れ等に収容しやすくすることができる。
【００３４】
あるいは、本発明の補助寝具は、ベースと側部バンク、頭部バンクなどを一体成形して強度を高めることもできる。更に、ベースの上面に枕も一体成形して構造を簡素化することもできる。
【００３５】
さらには、バンクに着脱自在なルーフを設置して天井部に薄型テレビを取りつければ、映画等を鑑賞してリラックスすることができる。ルーフの脚を伸縮させてテーブルとして用いることもできる。
【発明を実施するための最良の形態】
【００３６】
図１は、本発明の補助寝具の一実施形態を表す斜視図である。図２（a）〜（ｃ）のように、本実施形態の補助寝具１は、右端部１４Ｒuと左端部１４Ｌuと後端部１６と上面１２を有し、就寝者の頭部の下方に設置されるベース１０と、上面３２と外側面３４と内側面３６を有し、ベース１０の右端部１４Ｒu及び左端部１４Ｌu上に右側部バンク３０Ｒ及び左側部バンク３０Ｌがそれぞれ立設されている。ここで、図２（a）は補助寝具１の正面図、図２（ｂ）と図２（ｃ）は、それぞれ右側部バンク３０Ｒ及び左側部バンク３０Ｌと、ベース１０の平面図である。
【００３７】
また、図２（ｂ）のように、右側部バンク３０Ｒ及び左側部バンク３０Ｌの上面３２には、複数のポケット５０が形成されている。
【００３８】
なお、本明細書において、就寝者１００が頭を補助寝具１に置いて仰向けに寝たとき（図３を参照）の右手側を右側、左手側を左側、足側を前側、頭側を後ろ側とし、左右側部バンク３０Ｌ，３０Ｒから就寝者１００の方向を内方向、就寝者１００から左右側部バンク３０Ｌ，３０Ｒの方向を外方向と定義するものとし、同一の要素には全図を通して同一の符合を用いるものとする。また、左側部バンク３０Ｌ，右側部バンク３０Ｒをまとめて側部バンク３０とも表記する。さらに、ベース１０において、右端部１４Ｒの上面側を右端部１４Ｒuと、側面側を右端部１４Ｒｓとし、また、左端部１４Ｌの上面側を左端部１４Ｌuと、側面側を左端部１４Ｌｓとする。
【００３９】
図１は、補助寝具１に枕２０を載置した場合の斜視図である。本実施形態においては、枕２０は補助寝具１の構成要素ではなく、ベース１０の上面１２に載置することができるが、ベース１０の上面１２と面ファスナー、ホック、ボタンとボタンホール等で着脱可能であってもよく、あるいは、枕２０はベース１０の上面１２に一体成形されていてもよい。いずれの場合であっても、寝返りを打った場合（図５参照）等に顔や頭が接触する可能性がある左右側部バンク３０Ｌ，３０Ｒやベース１０の上面１２等は、例えばウレタンフォームなどの柔軟性のある材料により形成することが好ましい。
【００４０】
ベース１０と左側部バンク３０Ｌ及び右側部バンク３０Ｒは、一体成形されていても良いし、それぞれ部材として形成されて凹凸、面ファスナー、ホック、テープ、ボタンとボタンホール、紐とハトメ等で着脱自在に組み立てられたり、あるいは接着剤等で結合されていてもよい。
【００４１】
前出の図３に示されるように、補助寝具１は、就寝時に枕２０を載置等する収容具として布団上に設置されて用いられる。あるいは一体成形の場合は枕２０として用いられる。
布団幅あるいは布団を敷くベッドの寸法は、通常、横１００ｃｍ×縦２００ｃｍというように規格が定まっており、従って補助寝具１の寸法は、横７０〜１００ｃｍ×縦２５〜４５ｃｍが好ましいが、特に限定されるわけではない。例えばダブルサイズ、クイーンサイズ、キングサイズなどの規格に従って、あるいは使用する人の好みによって、補助寝具１の縦横の寸法を選択してよい。
【００４２】
本発明の補助寝具１において、収納部は、少なくとも左側部バンク３０Ｌと右側部バンク３０Ｒの一方に１以上形成される。例えば、収納部であるポケット５０の開口径、深さ、形状等は用途に応じて適宜選択することができる。例えばテレビやエアコン用のリモコンを収納するのであれば、径が５〜１０ｃｍ程度、深さ１０〜１５ｃｍ程度の円筒型または直方体型が好適であり、眼鏡を収納するのであれば、眼鏡サイズの細長い溝型で内部がより柔軟な素材で形成されたポケット５０が好適である。
【００４３】
図５のように、従前のベッドや寝床では全くのデッド・スペースに設けた左右側部バンク３０Ｌ，３０Ｒに形成されたポケット５０は、緊急時の場合でも平常時の場合でも極めて有用である。
【００４４】
例えば、地震などの災害時に備えて、枕元のポケット５０に防災用懐中電灯を収納することができる。あるいは、病人や身体の不自由な人にあっては、常備薬も、ポケット５０から直ぐに取り出すことができるし、ペットボトルをポケット５０に収納することもできる。
【００４５】
また、日常時であっても、手を伸ばせば届く定位置に形成されたポケット５０に携帯電話やリモコンを収納しておけば、暗闇の中、布団を反して探すことなくこれらの寝具周りの必需品を容易に手にすることができる。更に、眼鏡を着用している人にとって、目覚めた時、上記のように眼鏡が破損しないように形成されたポケット５０から容易に眼鏡を取り出すことができる。
【００４６】
さらに、側部バンク３０は、図１のように外側面３４や前部または後部などに収納部として引出し５２を形成してもよい。引出し５２に本や雑誌等を収納しておけば、就寝時に容易に読書することができる。
【００４７】
このように、ポケット５０や引出し５２の収納部には、懐中電灯、薬、体温計、ペットボトル、携帯電話、携帯型音楽プレーヤー、リモコン、メガネ、ノート、メモ帳、筆記具その他の必需品や小物を収納でき、非常に便利である。
【００４８】
次に、補助寝具１は、例えば図５のように就寝時に寝返りをうった場合、頭部や顔に圧迫を与えず、かつ、頭や体全体が布団の外に逃げていかないように、側部バンク３０の内側面３６が上方に向かって外側面３４方向に傾斜させることが好ましい。すなわち、図２(a)の正面図に見るように、側部バンク３０の内側面３６は上方に向かって断面が滑らかに小さくなるように傾斜するのが好適である。
【００４９】
また、側部バンク３０は、内側面３６側にスピーカー６０や照明器具６２が内蔵されてもよい。スピーカー６０や照明器具６２は市販品でよく、公知の方法で側部バンク３０に埋設されるが、就寝時等に顔面や頭髪などに接触しないように、内側面３６の表面から数ｃｍ奥まるように埋設されるのが好ましい。スピーカー６０はＣＤプレーヤー、ＭＤプレーヤー、ラジオ等と接続されるが、これらの機器本体は、例えば引き出しに設置してもよいし、補助寝具１の外部にあってもよい。側部バンク３０内部に配線用の管を設けて接続する。これらの電源は、商用電源でもよく、コードが邪魔であれば電池を用いてもよい。
【００５０】
上記のように、スピーカー６０は側部バンク３０の内側面３６側に埋設されるので、枕元で就寝者が聞くことができ、音が側部バンク３０によって遮られるので、周囲の人の邪魔にならない。また、側部バンク３０の内側面３６は上記のように傾斜させるので、この傾斜した内側面３６側に照明器具６２を埋設すれば、就寝時に本などを読む場合、本を直接照らすことができ、枕元でスタンドランプを灯すより遥かに明るい環境で本を読むことができる。
【００５１】
その他、補助寝具１を構成するベース１０の寸法については、ベース１０の上面１２に側部バンク３０を立設するのであれば、上記の通り横７０〜１００ｃｍ×縦２５〜４５ｃｍで、厚さ３ｃｍ以上が好適である。
【００５２】
ベース１０の形状は略長方形で上面１２は平面であることが好ましいが、これに限定されるものではない。前部が略直線であれば、上面１２は平面視でかまぼこ型、多角形その他の形状であってよく、また、上面１２は正面視で凹型であってもよいし、表面に細かい凹凸が形成されてもよく、これも特に限定されない。あるいは、公知の骨伝導スピーカーがベース１０内又はベース１０と一体成型された枕２０内に内蔵されてもよい。
【００５３】
側部バンク３０は、側部バンク３０を除いたベース１０の上面１２に枕２０を載置し、着脱し、あるいは成形する空間があれば、その大きさ、高さ、形状等は特に限定されない。上述のように、ポケット５０や引出し５２等を形成し得る範囲で好適に形状等を選択することができる。例えば側部バンク３０は、２０ｃｍ×２０ｃｍ×３０ｃｍの直方体であってよいが、上述のように内側面３６が傾斜部を有するのが好ましい。
【００５４】
なお、上記説明した補助寝具１は、右側部バンク３０Ｒ及び左側部バンク３０Ｌがそれぞれベース１０の右端部１４Ｒu及び左端部１４Ｌu上に立設されたが、ベース１０と側部バンク３０を一体成形しない場合は、図６(a)に示すように、左右側部バンク３０Ｌ、３０Ｒをベース１０の左端部１４Ｌｓと右端部１４Ｒｓに隣設してもよい。
【００５５】
または、図６(ｂ)のように、右側部バンク３０Ｒ（又は左側部バンク３０Ｌ）をベース１０の右端部１４Ｒｓ（又は左端部１４Ｌｓ）に隣設し、左側部バンク３０Ｌ（又は右側部バンク３０Ｒ）を左端部１４Ｌu（又は右端部１４Ｒu）に立設してもよい。あるいは、図６(ｃ)のように、左右側部バンク３０Ｌ、３０Ｒを、ベース１０の左端部１４Ｌ、右端部１４Ｒの角にそれぞれ係合して補助寝具１を形成してもよい。
【００５６】
このように、側部バンク３０をベース１０の左端部１４Ｌｓ及び／又は右端部１４Ｒｓに隣設するのであれば、ベース１０の幅は短くてよく、ベース１０の寸法は横３０〜７０ｃｍ×縦２５〜４５ｃｍで、厚さ５ｃｍ以上としても好適である。
【００５７】
以上説明した本発明の補助寝具１は、公知の方法で容易に製造することができる。例えば、発泡剤とウレタンモノマーを混ぜ合わせたウレタンフォーム前駆体を型に入れ、適当な温度で膨張させ、その後冷却してもよいし、予め形成したウレタンフォームを所定の形状に成形してもよい。
【００５８】
次に、本発明の別の実施形態の補助寝具について説明する。
【００５９】
図４(a)に示すように、本発明の別の実施形態の補助寝具２は、上記補助寝具１と同様に、右端部１４Ｒと左端部１４Ｌと後端部１６とを有し、就寝者の頭部の下方に設置されるベース１０と、上面３２と外側面３４と内側面３６を有し、ベース１０の右端部１４Ｒ及び左端部１４Ｌに右側部バンク３０Ｒ及び左側部バンク３０Ｌがそれぞれ設けられている。
【００６０】
これに加えて補助寝具２は、ベース１０の後端部１６に、上面４２と前面４４を有する頭部バンク４０が設置されており、頭部バンク４０の前面４４や側部に、収納部としてポケット５０や引出し５２を有している。収納部の位置は、上面４２でもよく、その他の位置であってもよい。
【００６１】
以下、頭部バンク４０以外の部分については上記補助寝具１と同様であるので説明を省略し、頭部バンク４０に関連する事項のみ説明する。
【００６２】
ベース１０と左側部バンク３０Ｌ及び右側部バンク３０Ｒ及び頭部バンク４０は、上記のように、一体成形されていても良いし、それぞれ部材として形成されて凹凸、面ファスナー、ホック、テープ、ボタンとボタンホール、紐とハトメ等で着脱自在に組み立てられてもよく、あるいは接着剤等で結合されていてもよい。
【００６３】
ただし、ベース１０及び左右側部バンク３０Ｌ、３０Ｒは、ベッドやマット、布団上に設置して使用するのが好適であるが、布団等は上記のように寸法が規格化されているため、体を休める空間を少しでも確保するように、頭部バンク４０はマットや布団の外側で床や畳上に直接設置するのが好ましい。また、夏と冬では敷布団の厚さが異なるし、布団を直に畳上に敷く場合もあればマット上に敷く場合もあるため、頭部バンク４０は、凹凸、面ファスナー、テープ、ホック、ボタンとボタンホール、紐とハトメ等などでベース１０及び左右側部バンク３０Ｌ、３０Ｒ等に着脱自在に取付けるのがより好ましい。これにより、図７(a)、(b)に模式的に表すように、マットや敷布団の厚みに応じて、補助寝具２のベース１０の高さを調節することが可能となる。
【００６４】
枕２０は、左側部バンク３０Ｌ及び右側部バンク３０Ｒ及び頭部バンク４０に囲まれた、ベース１０の上面１２に載置することができるが、上記のように、ベース１０の上面１２等と着脱可能であってもよく、あるいは、枕２０を含めて補助寝具全体が一体成形されていてもよい。
【００６５】
頭部バンク４０には、図４(b)のように、前面４４にスピーカー６０や照明器具６２が内蔵または設置されていてもよい。スピーカー６０を内蔵させることにより、側部バンク３０のスピーカー６０との相乗効果により多元的な音楽を聴いてリラックスすることができる。更に、頭部バンクに照明器具を埋設または設置することにより、胸の上に立てた本の中身を直接照らすことができる。
【００６６】
また、頭部バンク４０の中央部に、傾斜のなだらかな背もたれ部４８を形成して、図４(ｃ)のようにリラックスした姿勢で睡眠前後の時間を楽しむこともできる。この場合、側部バンク３０は肘掛として用いることもできる。
【００６７】
なお、頭部バンク４０の寸法、形状等は、特に限定されない。例えば、頭部バンク４０の寸法は、幅７０〜１００ｃｍ×高さ４０〜６０ｃｍで、厚さ２０〜４０ｃｍの図４(a)のような直方体が好適である。
【００６８】
または、図９のように頭部バンク４０をドーム型にして頭部の周囲を囲ってもよい。頭部を囲って保護することにより、人間が本能的に反応する、外敵、外部からの風、光、音などの侵入を防いで、不安の要素を取り除くことができる。また、ドーム型の頭部バンク４０の天上部に、有機ＥＬ等の軽量・小型の薄型テレビを組み込んで、テレビやビデオを楽しむこともできる。
【００６９】
あるいは図１０(a)、(b)のように、バンク３０Ｒ、３０Ｌまたは４０に、着脱自在なルーフ４５を設置してもよい。ルーフ４５は着脱自在な脚４５１をバンク３０等に設けた孔に嵌合させて容易に設置することができる。ルーフ４５及び脚４５１は、例えば軽量なプラスチックや金属などで形成することができる。
【００７０】
ルーフ４５は、上記頭部バンク４０と同様に、天井部に軽量な有機ＥＬ等の薄型テレビを取りつけて、映画等を鑑賞してリラックスすることができる。あるいは、脚４５１を伸縮可能に、又はアーム式にして、背もたれ部４８に寄りかかった時のテーブルとして用いてもよい。ルーフ４５は、図１０(b)のように頭部バンク４０がない場合でも設置可能である。
【００７１】
以上、本発明の実施形態について説明したが、本発明の補助寝具は上記実施形態に限定されるものではない。補助寝具が、右端部１４Ｒと左端部１４Ｌと後端部１６とを有するベース１０と、ベース１０の右端部１４Ｒ、左端部１４Ｌ、後端部１６のいずれか１以上の端部に設けたバンク３０Ｒまたは３０Ｌまたは４０と、を備え、少なくとも１つの前記バンクに１以上のポケットまたは引出しが形成され、あるいはスピーカーまたは照明器具が内蔵されていれば本発明の補助寝具に含まれ得る。
【００７２】
例えば、上記別の実施形態の補助寝具２を模式的に図８(a)のように表すと、図８(ｂ)、図８(ｃ)のように、右側部バンク３０Ｒ（または左側部バンク３０Ｌ）とベース１０だけで形成されたものや、右側部バンク３０Ｒ（または左側部バンク３０Ｌ）と頭部バンク４０とベース１０で形成された補助寝具も、本発明の範囲に含まれる。あるいは本発明の補助寝具は、頭部バンク４０とベース１０だけで形成されてもよく、又は図４（ｂ）のように頭部バンク４０の底部につけた布を敷布団の下に挟んで頭部バンク４０を固定する構成としてもよい。ただし、いずれか１つ以上のバンクには、１以上のポケットまたは引出しが形成され、あるいはスピーカーまたは照明器具が内蔵されるものとする。また、頭部バンク４０や側部バンク３０にチェストを取りつけて、収納部の収容能力を高めてもよい。
【００７３】
または、本発明の補助寝具は、ベース１０と、ベース１０の右端部１４Ｒまたは左端部１４Ｌの少なくともいずれか一方に側部バンク３０が設けられているだけでもよい。寝返りをした時側部バンクがストッパーとなって、ベッドや布団等から体がはみ出すのを防ぎ、風邪を予防することができる。特に、側部バンク３０の内側面３６を上方に向かって外側面３４方向に傾斜させておけば、寝返りをして頭部が横を向いた時頭部を横から支えることが出来、首の筋肉に異常な緊張を強いることなく、リラックスして睡眠をとることができる。
【００７４】
また、上述のベースとバンク、または、バンク同士は、一体成形されていても良いし、それぞれ部材として形成されて組み立てられたり、相互に着脱自在に形成されたり、あるいは接着剤等で結合されていてもよい。
【００７５】
本発明の補助寝具を形成する材料は、上述のウレタンフォームに限定されない。頭部に違和感のない柔軟性のある材料であれば、材料は特に限定されない。
【００７６】
その他、本発明は、その主旨を逸脱しない範囲で当業者の知識に基づき種々の改良、修正、変更を加えた態様で実施できるものである。
【図面の簡単な説明】
【００７７】
【図１】本発明の補助寝具の１実施形態を表す斜視図である。
【図２】（a）は補助寝具１の正面図、（b）、（c）は、それぞれ右側部バンク３０Ｒ及び左側部バンク３０Ｌと、ベース１０の平面図である。
【図３】布団の上に設置された本発明の補助寝具を枕として、就寝者が仰向けに寝ている様子を表し、明細書中の方向の定義に参照される平面図である
【図４】(a)本発明の補助寝具の別の実施形態を表す斜視図である。  (b)背もたれ部を設けた頭部バンクの斜視図である。  (c)背もたれ部を設けた頭部バンクで就寝者がくつろぐ様を表す斜視図である。
【図５】本発明の補助寝具を用いて就寝者が睡眠を取る一例を表す斜視図である。
【図６】(a)、(b)、(c)はそれぞれ、本発明の補助寝具の異なる組み立て方法を表す正面図である。
【図７】(a)、(b)はそれぞれ、本発明の補助寝具の、頭部バンクに対するベースの位置を調整する様子を表す模式断面図である。
【図８】(a)、(b)、(c)はそれぞれ、本発明の補助寝具の異なる実施形態を表す斜視図である。
【図９】頭部バンクの変形例を表す斜視図である。
【図１０】(a)、(b)はそれぞれ、サンルーフ型のルーフを取りつけた本発明の補助寝具の斜視図である。
【符号の説明】
【００７８】
１：補助寝具
１０：ベース
１２：上面
１４Ｒ：右端部
１４Ｌ：左端部
１６：後端部
２０：枕
３０Ｒ：右側部バンク
３０Ｌ：左側部バンク
３２：上面
３４：外側面
３６：内側面
４０：頭部バンク
４２：上面
４４：前面
４５：ルーフ
４６：側部
４８：背もたれ部
５０：ポケット
５２：引出し
６０：スピーカー
６２：照明器具
１００：就寝者
【図１】
2008086413.tif 000003
【図２】
2008086413.tif 000004
【図３】
2008086413.tif 000005
【図４】
2008086413.tif 000006
【図５】
2008086413.tif 000007
【図６】
2008086413.tif 000008
【図７】
2008086413.tif 000009
【図８】
2008086413.tif 000010
【図９】
2008086413.tif 000011
【図１０】
2008086413.tif 000012